(57)【要約】【課題】日々住民が関わりを持つゴミ集積所のとくに害鳥獣類による公害の面からの問題を解消し、従来の都市部におけるゴミ収集所の観念を一新し、省スペース化と清潔化を達成する。【解決手段】基本的に四辺形をなすボックス本体４１と、カバー部分４２とからなる組立て分解自在のゴミ集積ボックス４０であって、前記ボックス本体は４隅のコーナー部と各コーナー部の間に取り付けられた断熱性パネルの壁板部分１２とからなり、前記カバー部分４２はボックス本体の上端の一辺に対して回動自在に取り付けられているゴミ集積ボックス。【選択図】　　図１１
2004001989.tif 000002
【特許請求の範囲】
【請求項１】
基本的に四辺形をなすボックス本体と、カバー部分とからなる組立て分解自在のゴミ集積ボックスであって、
前記ボックス本体は４隅のコーナー部と各コーナー部の間に取り付けられた断熱性パネルの壁板部分とからなり、
前記カバー部分はボックス本体の上端の一辺に対して回動自在に取り付けられているゴミ集積ボックス。
【請求項２】
４隅のコーナー部が、それぞれコーナー柱と、それぞれのコーナー柱に取り付けられたコーナー部材からなり、
このコーナー部材にパネルを取り付けて壁面を形成した請求項１に記載のゴミ集積ボックス。
【請求項３】
ボックス本体が、相互に回動する二重枢軸パイプからなるコーナー部と、この二重枢軸パイプに壁面部分を構成するパネルを一体的に取り付けた一体構造体とからなり、
この一体構造体は、二重枢軸パイプを軸とした回動によって一体的に取り付けたパネルの折り畳みと展開を可能とした請求項１に記載のゴミ集積ボックス。
【発明の詳細な説明】
【０００１】
【発明の属する技術分野】
本発明は、ゴミ集積ボックス、とくに、都市における使用に適し、カラス等の害鳥獣類による被害、いわゆる「カラス問題」に対応できるゴミ集積ボックスに関する。
【０００２】
【従来の技術】
都市部のカラスは近年極端に増加し、市民の安全、市街地の衛生面、美観、さらには生態系にも悪影響を与えており、このいわゆる「カラス問題」の最大の原因は、一般家庭からのゴミを集めるゴミ集積所におけるカラス等による餌あせりにあるといっても過言ではない。
【０００３】
近年、家庭からの生ゴミは特定の集積所に集められているが、その集積所は、固定ボックス内に投げ込み積み上げるか、あるいは道路脇にゴミ入りのビニール袋を積み、その上から飛散防止のためのネットを被せることによって、カラス、野犬、野良猫等の害鳥獣類からの被害を防いでいるのが現状である。
【０００４】
ところが、このようなネットで覆っただけのものでは、簡単にゴミ袋は破られ、生ゴミ類がその周辺に飛び散り、その汚さ、臭いは耐えられないもので、その後片づけは大変である。
【０００５】
また、都市部においては、係るゴミ収集所のスペースが、歩行者や車両の通行の妨げとなり、これが、害鳥獣類による公害防止を重点にした本格的な構造のものでは、更に、相当なスペースとなり新たな都市問題の一つになりつつある。
【０００６】
【発明が解決しようとする課題】
本願発明が解決しようとする課題は、日々住民が関わりを持つゴミ集積所のとくに害鳥獣類による公害の面からの問題を解消することにあって、従来の都市部におけるゴミ収集所の観念を一新し、省スペース化と清潔化を達成することにある。
【０００７】
【課題を解決するための手段】
本発明は、それぞれ任意解体が可能な基本的に四辺形をなすボックス本体と、カバー部分とからなる組立て分解自在のゴミ集積ボックスであって、前記ボックス本体は、組立て分解可能な４隅のコーナー部と、各コーナー部の間に取り付けられた断熱性パネルの壁板部分とからなり、前記カバー部分は、ボックス本体の４隅のコーナー部の４辺の中の一辺に対して回動自在に取り付けられた折り畳み可能なカバー部材からなる。
【０００８】
壁板部分を断熱性パネルによって形成することで、外熱による収納ゴミの腐敗を防止できるとともに、開閉自在なカバーを使用しているので、ゴミ収納箇所への害鳥獣類の侵入を防止でき、しかも、清潔な状態で簡単に組立てと解体が可能である。
【０００９】
【発明の実施の形態】
以下、実施例によって本発明の実施の形態を説明する。
【００１０】
実施例１
図１は、本発明の第１の実施例に係る組立て解体自在のゴミ集積ボックス１０の全体構成を示す。
【００１１】
同図において、ゴミ集積ボックス１０の大きさは、設置個所におけるゴミ量によって、任意の大きさに設定できるが、住宅地の町内用としては、５０ｃｍから１２０ｃｍの高さと、ほぼ１ｍの奥行きと、巾が２ｍ程度のものが、容量と組立てと解体の面から、都合がよい。
【００１２】
ゴミ集積ボックス１０は、それぞれ任意解体が可能なボックス本体１と、折り畳み可能なカバー部分２とからなる。
【００１３】
ボックス本体１は、４隅のコーナー部１１と、各コーナー部の間に取り付けられた断熱性パネルの壁板部分１２とからなる。そして、４隅のコーナー部１１を構成するコーナー柱１３の中の２本は、歩道脇に固定して、基礎壁面とすることができる。
【００１４】
図２は、このコーナー柱１３の歩道脇への固定要領を示すもので、２本のコーナー柱１３は、図１に示すゴミ集積ボックス１０の長辺側の一辺の長さを規定するもので、２本のコーナー柱１３の間には、断熱性パネルを支持するための中間柱１４が配置される。
【００１５】
この図２の場合のコーナー柱１３と中間柱１４は、歩道脇に固定するために、埋め込み用のコンクリート製のアンカー３を有しており、それぞれのアンカー３を所定の間隔をおいて道路脇の地中に埋め込むことによって、図１に示すゴミ集積ボックス１０長辺の固定のための基礎が形成される。
【００１６】
なお、この歩道脇に固定されるコーナー柱１３と中間柱１４は必ずしも地中に埋め込むための構造とする必要はなく、鋼板製の固定用基礎板上にコーナー柱１３と中間柱１４とを所定間隔で固定したものを道路上に配置することもできる。市街地のように、既設の舗装された歩道にこのゴミ集積ボックス１０を組み立てる場合には、図２に示す地中埋め込みのタイプのものより、鋼板製の固定用基礎板の上にコーナー柱１３と中間柱１４を固定するタイプの方が、設置あるいは分解上からより便利である場合もある。
【００１７】
この図２に示すコーナー柱１３としては、それぞれの対応する辺の長さを違えて断面を十字形に形成した鉄板製のものを使用し、また、中間柱１４としては、所定の巾の断熱性パネルを挟み込むための縦溝１４１を有する断面がＨ形の鉄材を用いることができる。
【００１８】
コーナー柱１３と中間柱１４を固定して設置したのち、図１に示すボックス本体１を、図２に示す歩道脇に固定されたコーナー柱１３と中間柱１４を使用して、図３に示す要領で組立てる。
【００１９】
先ず、図１に示すコーナー部１１は、図２に示す十字状のコーナー柱１３を利用した任意の構造のものとすることができるが、図１に示すカバー部分２を支持するための挿入支柱２１を設けるためには、本願出願人が実公平２−２７０５０号公報において開示した中央に縦空洞を有する「コーナー部材」を使用するのが便利である。
【００２０】
図４は、図３に示す組立てに際してコーナー部１１を形成するために使用するコーナー部材１５とその使用形態を示す。そのコーナー部材１５は、コーナー柱１３の十字状にクロスした長尺部分１３１とほぼ同一長さを長辺長さとする長方形をなす内部空間１５１と、その長方形の一つの隅を開放して、先端を直角に広げた開放面１５２とを有する。そして、２枚の断熱性パネル１６の端面をコーナー柱１３の長尺部分１３１、１３２に、また、それぞれの断熱性パネル１６の先端内側面を短尺部分１３３、１３４の内面に当接する。そして、コーナー部材１５の内部空間１５１に、コーナー柱１３を上方から包み込み、下方にスライドさせることによって図３に示すコーナー部１１を形成する。
【００２１】
図５は、中間柱１４の縦溝１４１に断熱性パネル１６を装着したのち、その部分を抑えて確実に支持するための中間柱カバー材１７を示す。その使用形態は、図３と図４に示すとおりである。断熱性パネル１６としては、発泡プラスチックの両面に化粧板を接着し、コーナー部を鉄板で補強したものを使用することができる。
【００２２】
そして、図２に示す固定した２本のコーナー柱１３を起点にして、図３に示す要領で、短辺側には対向するコーナー部１１との間に巾狭の断熱性パネル１６と巾広の断熱性パネル１６とを中間柱１４を介して配し、次いで、固定した２本のコーナー柱１３と相対する面側には、固定側と同様に、中間柱１４を介して、巾広の断熱性パネル１６を３枚配置し、同様に、コーナー部材１５と中間柱用カバー材１７を上方からスライドさせて装着し、４辺の壁板部分１２を形成する。
【００２３】
図６は、このようにして形成した４辺の壁板部分１２にパネル抑え１８を取り付けて、ボックス本体１を完成する手順を示す。
同図において、パネル抑え１８は、短辺側は予め設定された長さに調製されており、上面は丸みを帯びており、下面は各コーナー部１１の間の断熱性パネル１６の上端面を覆うようにコの字状に開放された断面形状に形成され、断熱性パネル１６に上方から嵌合することによって、壁面強度とともに、取り扱い上の安全を図っている。そして、長辺側のパネル抑え１８には、スライド式の長さ調整部１８１が設けられ、長辺側の壁面の長さの変化に対応できるようになっている。
【００２４】
図１に戻って、完成したボックス本体１に、図７に詳細を示すカバー部分２を取り付けて、本発明に係るカバー付きゴミ集積ボックス１０が完成する。
【００２５】
このカバー部分２は、ボックス本体１の固定側辺の両各コーナー１１内の空間（コーナー部材１５の内部空間１５１）に挿入可能なそれぞれの挿入支柱２１の頭部２２の間を回動自在に連結した支持棒２３に取り付けられたカラスの侵入を防止する程度の金網を張ったカバー部材２４からなる。
【００２６】
このカバー部材２４は、内側方向に屈曲自在に形成された３つのフレーム２４１，２４２，２４３からなり、挿入支柱２１の頭部２２の間を連結した支持棒２３によってボックス本体１を開閉自在に覆うことができる。
【００２７】
これによって、カバー部材２４を開閉することによって、ボックス本体１にカバーを被せることができる。このカバー部材２４の網目材（ネット）を適宜に選択することによって、カラスの侵入を完全に防止することができる。
【００２８】
そして、カバー部分２の開閉によって、通常のゴミ集積ボックスと同様にゴミを投入し、ゴミの収集を行うことができる。
【００２９】
そして、このゴミ集積ボックス１０は、断熱性パネルによって囲繞されているので、外気温による温度上昇が少なく、異臭の発生を抑えることができる。
【００３０】
さらに、このゴミ集積ボックス１０の解体は、上述の組立て手順とは逆の手順を経ることによって簡単に解体できる。そして、構成部品点数も少なく、形状も単純であるので保管場所も少なくて済むと言う利点がある。
【００３１】
とくに、一体物で、その占有面積の大きいカバー部材２４は、内側方向に屈曲自在に形成された３つのフレーム２４１，２４２，２４３からなり、しかも、図７に示すように、挿入支柱２１の高さに折り畳むことができ、収納に便利である。
【００３２】
さらには、この収集ボックス１０は、ゴミ収集後、最寄りの水道栓を使用して、内面外面を洗浄でき、清潔な状態で完全に分解撤去され、構成部品は小面積区域に格納できる。
【００３３】
実施例２
図８は、上記実施例１のボックス本体１とカバー部分２の構造を簡略化した実施例２の収集ボックス３０の全体構造を示す。この場合の収集ボックス３０も、実施例１と同様に、長辺の一辺を固定側とし、これに各辺を連結してボックス本体３１を形成し、これに、カバー部材３２を連結して組み立て、且つ、その逆の手順で解体可能である。
【００３４】
図９はボックス本体３１の構造を示し、図１０は、図９に示すボックス本体３１のコーナー部１１と、固定側へのカバー部分３２の取り付け態様を示す。
【００３５】
固定側壁面の形成は、実施例１の図２に示す態様で、まず、コーナー柱１３と中間柱１４を固定し、その間に断熱性パネル１６を装着する。この実施例の場合、中間柱１４の構造は実施例１の場合と同様にＨ形材を使用するが、コーナー柱１３としては、実施例１で使用した十字状の柱に代えて、断熱性パネル１６の端面を装着できる縦溝を有し、実施例１に示すコーナー部材１５と一体化したような構造のものを使用する。固定側壁面は、図９に示すようにガードレール６に固定することができる。
【００３６】
そして、固定側壁面の３枚の断熱性パネル１６の中で、最もコーナー部１１に近い両端の断熱性パネル１６に、短辺用の断熱性パネル１６１が展開可能に蝶番４に留められており、この短辺用のパネル１６１を展開することによって、ボックス本体３１の短辺側の両壁面が形成される。
【００３７】
そして、さらに、固定側壁面と反対側に位置する長辺側の壁面１２１は、実施例１で述べた要領で、コーナー部材１５と中間柱カバー材１７を使用して形成する。このようにして、ボックス本体３１を完成させ、そのまま、図１０に示すように、このボックス本体３１の固定側の壁面の頂部の２箇所にカバー部材３２を取り付ける。この実施例の場合のカバー部材３２は壁面を構成する断熱性パネルと同様の材質を有し、取り扱いが便利なように、２つ折り可能に形成されている。
【００３８】
図１０において、この２つ折りカバー部材３２は、固定壁側の断熱性パネル１６の上縁に嵌合される取り付け部材３２１に蝶番５によって回動自在に取り付けられる。
【００３９】
このようにして、組み立てられた収集ボックス３０は、カバー部分と、ボックス本体３１とに分割され、さらに、ボックス本体３１は、側面壁を一体とした固定壁と、固定壁に対応する壁面とに分解され、実施例１の場合よりも構成部品数を少なくできるという利点がある。
【００４０】
実施例３
この第３の実施例は、上記各実施例に示す収集ボックスのパネル壁面を組立と解体の簡便性をさらに改善するために、各面のパネルを「折り畳み・展開」可能にしたものである。
【００４１】
図１１は、この実施例に係るゴミ集積ボックス４０の全体俯瞰図を示す。その組立て分解自在のゴミ集積ボックス４０の基本的な構成は、図１と図８に示す実施例と同じであって、四辺形をなすボックス本体４１と、カバー部分４２とからなる。そして、ボックス本体４１は、４隅のコーナー部１１と各コーナー部の間の断熱性パネルの壁板部分１２からなり、カバー部分４２は、本体４１の一辺に回動自在に枢着され、その先端の上面と取り付けられた取っ手４２１を持って、本体４１の側部壁面の上部内面に形成したガイド溝４１１に沿って移動させて、本体４１の上面開口を覆う構造になっている。
【００４２】
この第３の実施例が先の実施例と基本的に異なる点は、ボックス本体４１を構成するコーナー部と各コーナー部の間のパネルの壁板部分を、コーナー部１１を二重構造の回動パイプから形成し、これに壁板部分１２を形成するパネルを枢着したパネルを「折り畳み・展開」可能としている一体構造体とした点にある。
【００４３】
図１２は、この「折り畳み・展開」可能な一体構造体６を折り畳んだ状態で示す。同図において、図１１に示すコーナー部１１を内外のパイプが相互に枢軸的に回動できる二重構造のパイプ７から形成し、図１１に示す本体４１のそれぞれの壁面１２を構成するパネル１６が、パイプの取り付け板７１に取り付けられ折り畳まれている。なお、８は、この折り畳まれた一体構造体６の展開時あるいは解体時に便利なように、しかしながら、ゴミ収集時にゴミ漏出することがないように一体構造体６の下面に取り付けられたキャスターである。
【００４４】
以下、図１２〜図１４は、この折り畳まれた一体構造体６を展開してゴミ集積ボックス４０とする過程を示す。
【００４５】
先ず、図１２の矢印で示すように、図１１に示すゴミ集積ボックス本体４１の背面壁１２１を構成する第１のパネル１６２を元にして、側面用のパネル１６１を展開して、本体４１の側面を形成する。
【００４６】
図１３は、側面用のパネル１６１を展開したのち、本体４１の手前側のパネル１６３の一方側のみを展開して、本体４１の手前側の壁面の一部を構成した状態を示す。この実施例の場合、折り畳んだ際の収納の都合上、手前側の壁面の全長より短く形成しているが、背面壁と同様に全長として形成することも可能である。
【００４７】
図１４は、図１３の状態から、手前側の壁面用のパネルを展開したのち、本体４１の手前側の壁パネル１６３に、実施例１の場合と同様の中間柱１４を利用して補足のためのパネル１６４によって継ぎ足して、手前側の壁面を形成する。これによって、４隅に２重パイプ７と、背面壁用のパネル１６２と、両側面用パネル１６１と、前面壁用のパネル１６３と中間パネル１６４とからなるゴミ集積ボックス本体４１が形成される。
【００４８】
この本体４１に、先の実施例２に示す要領で、背面壁用のパネル１６２にカバー部分４２を回動自在に取り付けて図１１に示すゴミ集積ボックス４０が完成する。この実施例の場合、カバー部分４２も可動のために２重パイプを枢軸手段として用いた例を示す。
【００４９】
以上のとおり、この実施例の場合には、コーナー部と壁部分を折り畳みと展開可能な一体構造体の展開だけで組立てと解体が可能であり、また、解体後の収納部品点数も少なくなる。
【００５０】
【発明の効果】
本願発明のゴミ集積ボックスによって以下の効果を奏する。
【００５１】
１．カラス公害の排除
・　ゴミが収集している時間帯は、パネルによって覆われているため、カラス等による生ゴミの食い散らしを完全にシャットアウトできる。
【００５２】
・　外部から収納ゴミは見えにくいので、主に視角によってエサを探すカラスにエサとしてのゴミを認識させない。
【００５３】
２．衛生的であること
・　設置時間をゴミ収集までの短時間とすることで、ゴミ収納時間が短時間で、生ゴミの腐敗が進行しないので異臭の発生がない。
【００５４】
・　組立パネルとして断熱パネルを使用することで、腐敗の進行を遅くすることが可能である。
【００５５】
３．街の美観を保つ
・　カラス、犬猫による収納ゴミの食い散らしがなく、収納ゴミが付近に散乱することがない。
【００５６】
・　収納時間帯であっても、収納ゴミが直接通行人の目に触れることがなく、不快感を与えることがない。
【００５７】
４．道路のスペースの有効活用ができる。
【００５８】
・　パネルによる簡易組立式であるので、ゴミの収集時間に合わせて、簡単に組立と撤去が可能であり、道路の占有時間は短くできる。
【００５９】
・　設置中でも占有面積は少なく、道幅や歩道の確保は充分にできる。
【００６０】
・　設置すべき道路脇の大きさ、傾斜、通行量等の道路条件に応じて、その大きさ、設置条件を任意に調整できる。
【００６１】
５．組立てと撤去が簡便であること
・　日常の組立てと撤去に際しての格別の道具を必要としない。
【００６２】
・　組立部品数も少なく、撤去後の収納面積も少なくて済む。
【００６３】
６．地域住民の負担の軽減
・　ゴミ当番、収集所スペース提供者、さらには、ゴミ収集員の負担が少なくて済む。
【図面の簡単な説明】
【図１】本発明の第１の実施例に係るゴミ集積ボックスの全体構成を示す。
【図２】歩道脇に固定されるコーナー柱と中間柱との固定の態様を示す。
【図３】ゴミ集積ボックスのボックス本体の組立て手順を説明する図である。
【図４】ボックス本体のコーナー部を形成するのに使用するコーナー部材を示す。
【図５】中間柱をカバーするための中間柱カバー材を示す。
【図６】形成した４辺のパネル壁板部分にパネル抑えを取り付けてボックス本体を完成した状態を示す。
【図７】カバーを折り畳んだ状態を示す。
【図８】本発明の第２の実施例に係るゴミ集積ボックスの全体構成を示す。
【図９】第２の実施例のボックス本体の構成図を示す。
【図１０】第２の実施例のボックス本体へのカバーの取り付け態様を示す。
【図１１】第３の実施例のゴミ集積ボックスの全体構成を示す。
【図１２】２重パイプと壁面パネルとからなる一体構造体を折り畳んだ状態で示す図である。
【図１３】一体構造体を部分的に展開した状態を示す。
【図１４】一体構造体を展開して本体を形成した状態を示す。
【符号の説明】
１０，３０，４０　本発明に係るゴミ集積ボックスの実施例
１，３１，４１　ボックス本体
４１１　ガイド溝
１１　コーナー部
１２　壁板部分
１２１　背面壁
１３　コーナー柱、
１３１、１３２　コーナー柱の長尺部分
１３３、１３４　コーナー柱の短尺部分
１４　中間柱
１４１　中間柱の縦溝、
１５　コーナー部材、
１５１内部空間　　１５２　開放面
１６　壁パネル
１６１　本体の短辺または側面用の壁パネル
１６２　背面用の壁パネル
１６３　手前側壁パネル
１６４　中間パネル
１７　中間柱用カバー材
１８　パネル抑え
１８１長さ調整部
２，　３２、４２　カバー部分
４２１　取っ手
２１　挿入支柱、
２２　頭部、
２３　支持棒、
２４，３２　カバー部材
２４１，２４２，２４３　フレーム
３　アンカー
４，５　蝶番
６　コーナー部とパネルとの一体構造体
７　コーナー部形成用パイプ
８　キャスター
【図１】
2004001989.tif 000003
【図２】
2004001989.tif 000004
【図３】
2004001989.tif 000005
【図４】
2004001989.tif 000006
【図５】
2004001989.tif 000007
【図６】
2004001989.tif 000008
【図７】
2004001989.tif 000009
【図８】
2004001989.tif 000010
【図９】
2004001989.tif 000011
【図１０】
2004001989.tif 000012
【図１１】
2004001989.tif 000013
【図１２】
2004001989.tif 000014
【図１３】
2004001989.tif 000015
【図１４】
2004001989.tif 000016